(57)【要約】【課題】複数の片部を折り畳んで互いに剥離可能に貼着した折り畳みシートを、折り畳み方向とは異なる方向に、折り畳まれた片部の数よりも多い片部からなる冊子状に見開く。【解決手段】ミシン目１３１を介して連接した２つの紙片部１１１，１１２が、ミシン目１３１にて折り畳まれ、互いに対向する面が剥離可能に貼着されてなる折り畳みシート１０１であって、紙片部１１１，１１２は、ミシン目１３１にて切り離し可能に連接しているとともに、ミシン目１３１に沿う方向における中央部分にてミシン目１３１に直交する方向に延び、互いに剥離困難に貼着された強接着部１２０を有する。【選択図】図１
2010162834.tif 000002
【特許請求の範囲】
【請求項１】
折り部を介して連接した第１及び第２の片部が、前記折り部にて折り畳まれ、互いに対向する面が剥離可能に貼着されてなる折り畳みシートであって、
前記第１及び第２の片部は、前記折り部にて切り離し可能に連接しているとともに、前記剥離可能に貼着される領域を２分割するように前記折り部に直交する方向に延び、互いに剥離困難に貼着された強接着部を有する折り畳みシート。
【請求項２】
折り部を介して連接した第１及び第２の片部が、前記折り部にて折り畳まれ、互いに対向する面が剥離可能に貼着されてなる折り畳みシートであって、
前記第１及び第２の片部は、前記剥離可能に貼着される領域を２分割するように前記折り部に直交する方向に延び、互いに剥離困難に貼着された強接着部を有し、
前記第１の片部は、前記強接着部に繋がり、かつ、当該第１の片部と前記第２の片部とを見開き可能とする破断部を有する折り畳みシート。
【発明の詳細な説明】
【技術分野】
【０００１】
本発明は、複数の片部が折り畳まれて剥離可能に貼着されてなる折り畳みシートに関する。
【背景技術】
【０００２】
従来より、１枚のシートを複数の片部に分割し、これら複数の片部を折り畳んで互いに剥離可能に貼着した折り畳みシートが用いられている。このような折り畳みシートにおいては、例えば葉書として用いることにより、多くの情報を通知することができるようになる。
【０００３】
ところが、このような折り畳みシートにおいては、複数の片部を見開く場合、片部の折り方向に応じた向きにしか見開くことができず、例えば、３つの片部からなるシートをＺ折りとしたものにおいては、２つの見開き面が互いに異なる方向となるため、片部に表示された情報が見にくくなってしまう。
【０００４】
そこで、二つ折り紙片の重ね合わせ面を剥離可能に貼着し、さらに、この二つ折り紙片の一方の表面に、二つ折り紙片の折り側の一端縁が剥離困難に貼着されて他の部分は剥離可能に貼着された宛名表示片を有する葉書が考えられている（例えば、特許文献１参照。）。この葉書においては、二つ折り紙片に貼着された宛名表示片が、二つ折り紙片の折り側の一端縁が剥離困難に貼着されて他の部分は剥離可能に貼着されているため、二つ折り紙片と宛名表示片との見開き方向が同一となり、表示された情報が見にくくなってしまうことがなくなる。
【先行技術文献】
【特許文献】
【０００５】
【特許文献１】特開平１０−８６５５６号公報
【発明の概要】
【発明が解決しようとする課題】
【０００６】
上述したように、１枚のシートを複数の片部に分割し、これら複数の片部を折り畳んで互いに剥離可能に貼着した折り畳みシートにおいては、そのデザイン等の関係から、折り畳み方向とは異なる方向に、分割した片部の数よりも多い片部からなる冊子状に見開きたい場合が生じる。ところが、上述したような折り畳みシートにおいては、折り畳み方向と見開く方向とが同一であるため、そのような要請には応えることができないという問題点がある。
【０００７】
本発明は、上述したような従来の技術が有する問題点に鑑みてなされたものであって、複数の片部を折り畳んで互いに剥離可能に貼着した折り畳みシートを、折り畳み方向とは異なる方向に、折り畳まれた片部の数よりも多い片部からなる冊子状に見開くことができる折り畳みシートを提供することを目的とする。
【課題を解決するための手段】
【０００８】
上記目的を達成するために本発明は、
折り部を介して連接した第１及び第２の片部が、前記折り部にて折り畳まれ、互いに対向する面が剥離可能に貼着されてなる折り畳みシートであって、
前記第１及び第２の片部は、前記折り部にて切り離し可能に連接しているとともに、前記剥離可能に貼着される領域を２分割するように前記折り部に直交する方向に延び、互いに剥離困難に貼着された強接着部を有する。
【０００９】
上記のように構成された本発明においては、互いに剥離可能に貼着された第１の片部と第２の片部とを見開く場合、これら第１の片部と第２の片部とを剥離するとともに、折り部にて第１の片部と第２の片部とを切り離す。第１の片部と第２の片部とは、剥離可能に貼着される領域を２分割するように折り部に直交する方向に延びた強接着部にて互いに剥離困難に貼着されているため、この強接着部を中心として第１の片部と第２の片部とが見開かれる。この場合、強接着部が、第１の片部と第２の片部とが剥離可能に貼着される領域を２分割するように折り部に直交する方向に延びているので、第１の辺部と第２の片部とが強接着部を中心として４片からなる冊子状に見開かれることになる。
【００１０】
また、折り部を介して連接した第１及び第２の片部が、折り部にて折り畳まれ、互いに対向する面が剥離可能に貼着されてなる折り畳みシートであって、第１及び第２の片部が、剥離可能に貼着される領域を２分割するように折り部に直交する方向に延び、互いに剥離困難に貼着された強接着部を有し、第１の片部が、強接着部に繋がり、かつ、第１の片部と第２の片部とを見開き可能とする破断部を有するものにおいても、第１の片部と第２の片部とを剥離するとともに、第１の辺部を破断部によって破断することによって見開くと、強接着部を中心として４片からなる冊子状に見開かれることになる。
【発明の効果】
【００１１】
以上説明したように本発明においては、折り部を介して連接した第１及び第２の片部が、折り部にて折り畳まれ、互いに対向する面が剥離可能に貼着されてなる折り畳みシートであって、第１及び第２の片部が、折り部にて切り離し可能に連接しているとともに、剥離可能に貼着される領域を２分割するように折り部に直交する方向に延び、互いに剥離困難に貼着された強接着部を有する構成としたため、第１の片部と第２の片部とが、折り部に直交する方向に延びた強接着部を中心として４片からなる冊子状に見開かれることとなり、複数の片部を折り畳んで互いに剥離可能に貼着した折り畳みシートを、折り畳み方向とは異なる方向に、折り畳まれた片部の数よりも多い片部からなる冊子状に見開くことができる。
【００１２】
また、折り部を介して連接した第１及び第２の片部が、折り部にて折り畳まれ、互いに対向する面が剥離可能に貼着されてなる折り畳みシートであって、第１及び第２の片部が、剥離可能に貼着される領域を２分割するように折り部に直交する方向に延び、互いに剥離困難に貼着された強接着部を有し、第１の片部が、強接着部に繋がり、かつ、第１の片部と第２の片部とを見開き可能とする破断部を有する構成としたものにおいても、折り部に直交する方向に延びた強接着部を中心として４片からなる冊子状に見開かれることとなり、複数の片部を折り畳んで互いに剥離可能に貼着した折り畳みシートを、折り畳み方向とは異なる方向に、折り畳まれた片部の数よりも多い片部からなる冊子状に見開くことができる。また、第１の片部が見開かれる形状が破断部の形成領域によるものとなり、それにより、第１の片部が見開かれる形状のデザイン性を向上させることができる。
【図面の簡単な説明】
【００１３】
【図１】本発明の折り畳みシートの第１の実施の形態を示す図であり、（ａ）は正面図、（ｂ）は（ａ）に示したＡ−Ａ’断面図、（ｃ）は（ａ）に示したＢ−Ｂ’断面図、（ｄ）は見開いた状態における貼着面の構成を示す図である。
【図２】図１に示した折り畳みシートの使用方法を説明するための図である。
【図３】本発明の折り畳みシートの第２の実施の形態を示す図であり、（ａ）は正面図、（ｂ）は（ａ）に示したＡ−Ａ’断面図、（ｃ）は（ａ）に示したＢ−Ｂ’断面図、（ｄ）は見開いた状態における貼着面の構成を示す図である。
【図４】図３に示した折り畳みシートの使用方法を説明するための図である。
【図５】本発明の折り畳みシートの第３の実施の形態を示す図であり、（ａ）は正面図、（ｂ）は（ａ）に示したＡ−Ａ’断面図、（ｃ）は（ａ）に示したＢ−Ｂ’断面図、（ｄ）は見開いた状態における一方の面の構成を示す図、（ｅ）は見開いた状態における他方の面の構成を示す図である。
【図６】図５に示した折り畳みシートの使用方法を説明するための図である。
【図７】本発明の折り畳みシートの第４の実施の形態を示す図であり、（ａ）は正面図、（ｂ）は（ａ）に示したＡ−Ａ’断面図、（ｃ）は（ａ）に示したＢ−Ｂ’断面図、（ｄ）は見開いた状態における一方の面の構成を示す図、（ｅ）は見開いた状態における他方の面の構成を示す図である。
【図８】図７に示した折り畳みシートの使用方法を説明するための図である。
【発明を実施するための形態】
【００１４】
以下に、本発明の実施の形態について図面を参照して説明する。
【００１５】
（第１の実施の形態）
図１は、本発明の折り畳みシートの第１の実施の形態を示す図であり、（ａ）は正面図、（ｂ）は（ａ）に示したＡ−Ａ’断面図、（ｃ）は（ａ）に示したＢ−Ｂ’断面図、（ｄ）は見開いた状態における貼着面の構成を示す図である。
【００１６】
本形態は図１に示すように、第１の片部である紙片部１１１と第２の片部である紙片部１１２とが折り部となるミシン目１３１を介して連接して構成されている。紙片部１１１，１１２の重ね合わせ面には、紙片部１１１，１１２をミシン目１３１を介して折り畳んで加圧した場合にこれらを互いに貼着し、また、貼着後の剥離を可能とする剥離可能層１２１が積層されているとともに、ミシン目１３１に直交する方向に延びるように紙片部１１１，１１２のミシン目１３１に沿う方向について中央部分に貼着後の剥離が困難となる粘着剤１２２が塗布されることにより強接着部１２０が形成されている。なお、紙片部１１１と紙片部１１２とを剥離可能に貼着するための剥離可能層１２１としては、紙片部１１１と紙片部１１２とを重ね合わせて貼着した後に剥離可能、再貼着不可のものであればよく、感圧接着剤や、その他に、例えば、０．５Ｍｐａ以上１０Ｍｐａ以下の圧力でシートどうしを貼着可能な非感圧性の水性エマルジョン粘着剤を用いることが考えられる。また、貼着後の剥離困難とは、紙片部１１１と紙片部１１２とを人間の手によって剥離した場合に、紙片部１１１と紙片部１１２自体が裂かれたり厚み方向に分割されたりする程度に強接着されていることである。また、紙片部１１１のミシン目１３１の両端部に隣接する領域の角部にはそれぞれ切り欠き１３２ａ，１３２ｂが形成されている。また、紙片部１１１，１１２には、粘着剤１２２が塗布されることにより形成された強接着部１２０以外の領域に、任意の情報が印刷されている。また、紙片部１１１，１１２の重ね合わせ面にそれぞれ剥離可能層１２１を積層するのではなく、紙片部１１１，１１２のいずれか一方に剥離可能層１２１を積層した構成であってもよい。
【００１７】
このように構成された折り畳みシート１０１は、剥離可能層１２１が積層されるとともに粘着剤１２２が塗布された面が内側となるようにミシン目１３１にて折り畳まれ、紙片部１１１と紙片部１１２とが、剥離可能層１２１にて剥離可能に貼着されるとともに粘着剤１２２による強接着部１２０にて剥離困難に貼着される。この際、粘着剤１２２による強接着部１２０が、ミシン目１３１に直交する方向に延びるように紙片部１１１，１１２のミシン目１３１に沿う方向について中央部分に形成されているため、紙片部１１１と紙片部１１２とが剥離可能層１２１によって剥離可能に貼着される領域が、粘着剤１２２による強接着部１２０によって２分割されることになる。
【００１８】
以下に、上記のように構成された折り畳みシート１０１の使用方法について説明する。
【００１９】
図２は、図１に示した折り畳みシート１０１の使用方法を説明するための図である。
【００２０】
図１に示した折り畳みシート１０１は図２（ａ）に示すように、剥離可能層１２１が積層されるとともに粘着剤１２２が塗布された面が内側となるようにミシン目１３１にて折り畳まれ、紙片部１１１と紙片部１１２とが、剥離可能層１２１にて剥離可能に貼着されるとともに粘着剤１２２による強接着部１２０にて剥離困難に貼着された状態となっている。この状態においては、紙片部１１１，１１２の剥離可能層１２１が積層されていない面がそれぞれ表出しており、その面に印刷された情報が外部から視認可能となっている。
【００２１】
このように貼着された折り畳みシート１０１を見開く場合は、図２（ｂ）に示すように、紙片部１１１のうち、ミシン目１３１に隣接しない２つの角部をそれぞれ摘み代として紙片部１１１を紙片部１１２から剥離していく。この際、紙片部１１１と紙片部１１２とは、貼着後の剥離を可能とする剥離可能層１２１によって貼着されており、かつ、紙片部１１１の角部には強接着部１２０が形成されていないため、紙片部１１１と紙片部１１２とを剥離することができる。
【００２２】
そして、紙片部１１１と紙片部１１２との剥離部分が、ミシン目１３１の端部に達すると、その領域には切り欠き１３２ａ，１３２ｂがそれぞれ形成されているため、この切り欠き１３２ａ，１３２ｂがきっかけとなってミシン目１３１が破断し、紙片部１１１がその中央部分に向かって紙片部１１２から剥離、分離していく。
【００２３】
紙片部１１１を紙片部１１２から剥離し、図２（ｃ）に示すように剥離部分が、紙片部１１１，１１２のミシン目１３１と直交する方向における中央部分となる強接着部１２０に達すると、その領域にて紙片部１１１を紙片部１１２から剥離できなくなり、紙片部１１１と紙片部１１２とが強接着部１２０にて貼着された状態にて強接着部１２０を中心として２方向に見開かれた状態となる。それにより、２つの紙片部１１１，１１２からなる折り畳みシート１０１が、強接着部１２０を中心として４つの紙片が見開かれた冊子形態となる。そして、紙片部１１１，１１２の剥離可能層１２１が積層された面もそれぞれ表出し、紙片部１１１，１１２の表裏に印刷された情報が外部から視認可能となる。
【００２４】
このように、折り部となるミシン目１３１を介して連接した２つの紙片部１１１，１１２が、ミシン目１３１に直交する方向に延びた強接着部１２０を中心として見開かれることとなり、２つの紙片部１１１，１１２を折り畳んで互いに剥離可能に貼着した折り畳みシート１０１を、折り畳み方向とは異なる方向に、４つの紙片からなる冊子状に見開くことができる。
【００２５】
（第２の実施の形態）
図３は、本発明の折り畳みシートの第２の実施の形態を示す図であり、（ａ）は正面図、（ｂ）は（ａ）に示したＡ−Ａ’断面図、（ｃ）は（ａ）に示したＢ−Ｂ’断面図、（ｄ）は見開いた状態における貼着面の構成を示す図である。
【００２６】
本形態は図３に示すように、第１の実施の形態に示したものに対して、第１の片部となる紙片部２１１に、ミシン目２３１に沿うように、その中央部分にて強接着部２２０と交差して繋がる破断部となるミシン目２３３が形成されており、このミシン目２３３の両端部に切り欠き２３２ａ，２３２ｂが形成されている点のみが異なるものである。
【００２７】
以下に、上記のように構成された折り畳みシート２０１の使用方法について説明する。
【００２８】
図４は、図３に示した折り畳みシート２０１の使用方法を説明するための図である。
【００２９】
図３に示した折り畳みシート２０１は図４（ａ）に示すように、剥離可能層２２１が積層されるとともに粘着剤２２２が塗布された面が内側となるようにミシン目２３１にて折り畳まれ、紙片部２１１と紙片部２１２とが、剥離可能層２２１にて剥離可能に貼着されるとともに粘着剤２２２による強接着部２２０にて剥離困難に貼着された状態となっている。この状態においては、紙片部２１１，２１２の剥離可能層２２１が積層されていない面がそれぞれ表出しており、その面に印刷された情報が外部から視認可能となっている。
【００３０】
このように貼着された折り畳みシート２０１を見開く場合は、図４（ｂ）に示すように、紙片部２１１のうち、ミシン目２３１に隣接しない２つの角部をそれぞれ摘み代として紙片部２１１を紙片部２１２から剥離していく。この際、紙片部２１１と紙片部２１２とは、貼着後の剥離を可能とする剥離可能層２２１によって貼着されており、かつ、紙片部２１の角部には強接着部２２０が形成されていないため、紙片部２１１と紙片部２１２とを剥離することができる。
【００３１】
そして、紙片部２１１と紙片部２１２との剥離部分が、ミシン目２３３の端部に達すると、その領域には切り欠き２３２ａ，２３２ｂがそれぞれ形成されているため、この切り欠き２３２ａ，２３２ｂがきっかけとなってミシン目２３３が破断し、紙片部２１１が、ミシン目２３３に沿ってその中央部分に向かって破断していくとともに、紙片部２１２から剥離、分離していく。
【００３２】
紙片部２１１を紙片部２１２から剥離し、図４（ｃ）に示すように剥離部分が、紙片部２１１，２１２のミシン目２３３と直交する方向における中央部分となる強接着部２２０に達すると、その領域にて紙片部２１１を紙片部２１２から剥離できなくなり、紙片部２１１と紙片部２１２とが強接着部２２０にて貼着された状態にて強接着部２２０を中心として２方向に見開かれた状態となる。それにより、２つの紙片部２１１，２１２からなる折り畳みシート２０１が、強接着部２２０を中心として４つの紙片が見開かれた冊子形態となる。そして、紙片部２１１，２１２の剥離可能層２２１が積層された面もそれぞれ表出し、紙片部２１１，２１２の表裏に印刷された情報が外部から視認可能となる。
【００３３】
このように、折り部となるミシン目２３１を介して連接した２つの紙片部２１１，２１２が、ミシン目２３１に直交する方向に延びた強接着部２２０を中心として見開かれることとなり、２つの紙片部２１１，２１２を折り畳んで互いに剥離可能に貼着した折り畳みシート２０１を、折り畳み方向とは異なる方向に、４つの紙片からなる冊子状に見開くことができる。また、紙片部２１１が見開かれる形状がミシン目２３３の形成領域によるものとなり、それにより、紙片部２１１が見開かれる形状のデザイン性を向上させることができる。
【００３４】
（第３の実施の形態）
図５は、本発明の折り畳みシートの第３の実施の形態を示す図であり、（ａ）は正面図、（ｂ）は（ａ）に示したＡ−Ａ’断面図、（ｃ）は（ａ）に示したＢ−Ｂ’断面図、（ｄ）は見開いた状態における一方の面の構成を示す図、（ｅ）は見開いた状態における他方の面の構成を示す図である。
【００３５】
本形態は図５に示すように、第１の片部である紙片部３１２と第２の片部である紙片部３１１とが第１の折り部となるミシン目３３１ａを介して連接するとともに、第３の片部である紙片部３１３が第２の折り部となるミシン目３３１ｂを介して紙片部３１１に連接して構成されている。紙片部３１１は、互いに対向する端縁にて紙片部３１２と紙片部３１３と連接しており、すなわち、ミシン目３３１ａとミシン目３３１ｂとは紙片部３１１を挟んで互いに対向している。紙片部３１１，３１２のミシン目３３１ａを介して折り畳んだ際に対向する面には、紙片部３１１，３１２をミシン目３３１ａを介して折り畳んで加圧した場合にこれらを互いに貼着し、また、貼着後の剥離を可能とする剥離可能層３２１ａが積層されているとともに、ミシン目３３１ａに直交する方向に延びるように紙片部３１１，３１２のミシン目３３１ａに沿う方向について中央部分に貼着後の剥離が困難となる粘着剤３２２が塗布されることにより強接着部３２０が形成されている。また、紙片部３１１，３１３のミシン目３３１ｂを介して折り畳んだ際に対向する面には、紙片部３１１，３１３をミシン目３３１ｂを介して折り畳んで加圧した場合にこれらを互いに貼着し、また、貼着後の剥離を可能とする剥離可能層３２１ｂが積層されている。なお、紙片部３１１と紙片部３１２とを剥離可能に貼着するための剥離可能層３２１ａ、並びに紙片部３１１と紙片部３１３とを剥離可能に貼着するための剥離可能層３２１ｂとしては、紙片部３１１と紙片部３１２と、紙片部３１１と紙片部３１３とをそれぞれ重ね合わせて貼着した後に剥離可能、再貼着不可のものであればよく、第１の実施の形態に示したものを用いることが考えられる。また、剥離可能層３２１ａと剥離可能層３２１ｂとは、折り畳みシート３０１の見開き状態において互いに反対側となる面に積層されている。すなわち、剥離可能層３２１ａと剥離可能層３２１ｂとは、紙片部３１１の互いに異なる面に積層されていることになる。また、紙片部３１２のミシン目３３１ａの両端部に隣接する領域の角部にはそれぞれ切り欠き３３２ａ，３３２ｂが形成されている。また、紙片部３１１〜３１３には、粘着剤３２２が塗布されることにより形成された強接着部３２０以外の領域に、任意の情報が印刷されている。また、紙片部３１１，３１２のミシン目３３１ａを介して折り畳んだ際に対向する面にそれぞれ剥離可能層３２１ａを積層するのではなく、紙片部３１１，３１２のいずれか一方のミシン目３３１ａを介して折り畳んだ際に対向する面に剥離可能層３２１ａを積層した構成であってもよく、同様に、紙片部３１１，３１３のミシン目３３１ｂを介して折り畳んだ際に対向する面にそれぞれ剥離可能層３２１ｂを積層するのではなく、紙片部３１１，３１３のいずれか一方のミシン目３３１ｂを介して折り畳んだ際に対向する面に剥離可能層３２１ｂを積層した構成であってもよい。
【００３６】
このように構成された折り畳みシート３０１は、紙片部３１１と紙片部３１２とが、剥離可能層３２１ａが積層されるとともに粘着剤３２２が塗布された面が内側となるようにミシン目３３１ａにて折り畳まれ、剥離可能層３２１ａにて剥離可能に貼着されるとともに粘着剤３２２による強接着部３２０にて剥離困難に貼着され、また、紙片部３１１と紙片部３１３とが、剥離可能層３２１ｂが積層された面が内側となるようにミシン目３３１ｂにて折り畳まれ、剥離可能層３２１ｂにて剥離可能に貼着される。この際、粘着剤３２２による強接着部３２０が、ミシン目３３１ａに直交する方向に延びるように紙片部３１１，３１２のミシン目３３１ａに沿う方向について中央部分に形成されているため、紙片部３１１と紙片部３１２とが剥離可能層３２１ａによって剥離可能に貼着される領域が、粘着剤３２２による強接着部３２０によって２分割されることになる。
【００３７】
以下に、上記のように構成された折り畳みシート３０１の使用方法について説明する。
【００３８】
図６は、図５に示した折り畳みシート３０１の使用方法を説明するための図である。
【００３９】
図５に示した折り畳みシート３０１は図６（ａ）に示すように、紙片部３１１と紙片部３１２とが、剥離可能層３２１ａが積層されるとともに粘着剤３２２が塗布された面が内側となるようにミシン目３３１ａにて折り畳まれ、剥離可能層３２１ａにて剥離可能に貼着されるとともに粘着剤３２２による強接着部３２０にて剥離困難に貼着され、また、紙片部３１１と紙片部３１３とが、剥離可能層３２１ｂが積層された面が内側となるようにミシン目３３１ｂにて折り畳まれ、剥離可能層３２１ｂにて剥離可能に貼着された状態となっている。この状態においては、紙片部３１２，３１３の剥離可能層３２１ａ，３２１ｂが積層されていない面がそれぞれ表出しており、その面に印刷された情報が外部から視認可能となっている。
【００４０】
このように貼着された折り畳みシート３０１を見開く場合は、まず、図６（ｂ）に示すように、紙片部３１２のうち、ミシン目３３１ａに隣接しない２つの角部をそれぞれ摘み代として紙片部３１２を紙片部３１１から剥離していく。この際、紙片部３１１と紙片部３１２とは、貼着後の剥離を可能とする剥離可能層３２１ａによって貼着されており、かつ、紙片部３１２の角部には強接着部３２０が形成されていないため、紙片部３１１と紙片部３１２とを剥離することができる。
【００４１】
そして、紙片部３１１と紙片部３１２との剥離部分が、ミシン目３３１ａの端部に達すると、その領域には切り欠き３３２ａ，３３２ｂがそれぞれ形成されているため、この切り欠き３３２ａ，３３２ｂがきっかけとなってミシン目３３１ａが破断し、紙片部３１２がその中央部分に向かって紙片部３１１から剥離、分離していく。
【００４２】
紙片部３１２を紙片部３１１から剥離し、図６（ｃ）に示すように剥離部分が、紙片部３１１，３１２のミシン目３３１ａと直交する方向における中央部分となる強接着部３２０に達すると、その領域にて紙片部３１２を紙片部３１１から剥離できなくなり、紙片部３１１と紙片部３１２とが強接着部３２０にて貼着された状態にて強接着部３２０を中心として２方向に見開かれた状態となる。それにより、紙片部３１１，３１２の剥離可能層３２１ａが積層された面もそれぞれ表出し、紙片部３１１，３１２の表裏に印刷された情報が外部から視認可能となる。
【００４３】
次に、図６（ｄ）に示すように、紙片部３１３を紙片部３１１から剥離していく。この際、紙片部３１１と紙片部３１３とは、貼着後の剥離を可能とする剥離可能層３２１ｂによって貼着されているため、紙片部３１１と紙片部３１３とを剥離することができる。
【００４４】
紙片部３１３を紙片部３１１から完全に剥離すると、図６（ｅ）に示すように、紙片部３１１と紙片部３１３とがミシン目３３１ｂを中心として見開かれた状態となる。すると、紙片部３１１，３１３の剥離可能層３２１ｂが積層された面もそれぞれ表出し、紙片部３１１，３１３の剥離可能層３２１ｂが積層された面にそれぞれ印刷された情報が外部から視認可能となる。
【００４５】
このように見開かれた折り畳みシート３０１は、図６（ｆ）に示すように、紙片部３１１と紙片部３１２とが強接着部３２０を中心として２方向に見開かれるとともに、紙片部３１１と紙片部３１３とがミシン目３３１ｂによる折り畳み方向に見開かれることになる。
【００４６】
（第４の実施の形態）
図７は、本発明の折り畳みシートの第４の実施の形態を示す図であり、（ａ）は正面図、（ｂ）は（ａ）に示したＡ−Ａ’断面図、（ｃ）は（ａ）に示したＢ−Ｂ’断面図、（ｄ）は見開いた状態における一方の面の構成を示す図、（ｅ）は見開いた状態における他方の面の構成を示す図である。
【００４７】
本形態は図７に示すように、第３の実施の形態に示したものに対して、第１の片部となる紙片部４１２に、ミシン目４３１ａに沿うように、中央部分にて強接着部４２０に繋がる破断部となるミシン目４３３が形成されており、このミシン目４３３の両端部にそれぞれ切り欠き４３２ａ，４３２ｂが形成されている点のみが異なるものである。
【００４８】
以下に、上記のように構成された折り畳みシート４０１の使用方法について説明する。
【００４９】
図８は、図７に示した折り畳みシート４０１の使用方法を説明するための図である。
【００５０】
図７に示した折り畳みシート４０１は図８（ａ）に示すように、紙片部４１１と紙片部４１２とが、剥離可能層４２１ａが積層されるとともに粘着剤４２２が塗布された面が内側となるようにミシン目４３１ａにて折り畳まれ、剥離可能層４２１ａにて剥離可能に貼着されるとともに粘着剤４２２による強接着部４２０にて剥離困難に貼着され、また、紙片部４１１と紙片部４１３とが、剥離可能層４２１ｂが積層された面が内側となるようにミシン目４３１ｂにて折り畳まれ、剥離可能層４２１ｂにて剥離可能に貼着された状態となっている。この状態においては、紙片部４１２，４１３の剥離可能層４２１ａ，４２１ｂが積層されていない面がそれぞれ表出しており、その面に印刷された情報が外部から視認可能となっている。
【００５１】
このように貼着された折り畳みシート４０１を見開く場合は、まず、図８（ｂ）に示すように、紙片部４１２のうち、ミシン目４３１ａに隣接しない２つの角部をそれぞれ摘み代として紙片部４１２を紙片部４１１から剥離していく。この際、紙片部４１１と紙片部４１２とは、貼着後の剥離を可能とする剥離可能層４２１ａによって貼着されており、かつ、紙片部４１２の角部には強接着部４２０が形成されていないため、紙片部４１１と紙片部４１２とを剥離することができる。
【００５２】
そして、紙片部４１１と紙片部４１２との剥離部分が、ミシン目４３３の端部に達すると、その領域には切り欠き４３２ａ，４３２ｂがそれぞれ形成されているため、この切り欠き４３２ａ，４３２ｂがきっかけとなってミシン目４３３が破断し、紙片部４１２が、ミシン目４３３に沿ってその中央部分に向かって破断していくとともに、紙片部４１１から剥離、分離していく。
【００５３】
紙片部４１２を紙片部４１１から剥離し、図８（ｃ）に示すように剥離部分が、紙片部４１１，４１２のミシン目４３３と直交する方向における中央部分となる強接着部４２０に達すると、その領域にて紙片部４１２を紙片部４１１から剥離できなくなり、紙片部４１１と紙片部４１２とが強接着部４２０にて貼着された状態にて強接着部４２０を中心として２方向に見開かれた状態となる。それにより、紙片部４１１，４１２の剥離可能層４２１ａが積層された面もそれぞれ表出し、紙片部４１１，４１２の表裏に印刷された情報が外部から視認可能となる。
【００５４】
次に、図８（ｄ）に示すように、紙片部４１３を紙片部４１１から剥離していく。この際、紙片部４１１と紙片部４１３とは、貼着後の剥離を可能とする剥離可能層４２１ｂによって貼着されているため、紙片部４１１と紙片部４１３とを剥離することができる。
【００５５】
紙片部４１３を紙片部４１１から完全に剥離すると、図８（ｅ）に示すように、紙片部４１１と紙片部４１３とがミシン目４３１ｂを中心として見開かれた状態となる。すると、紙片部４１１，４１３の剥離可能層４２１ｂが積層された面もそれぞれ表出し、紙片部４１１，４１３の剥離可能層４２１ｂが積層された面にそれぞれ印刷された情報が外部から視認可能となる。
【００５６】
このように見開かれた折り畳みシート４０１は、図８（ｆ）に示すように、紙片部４１１と紙片部４１２とが強接着部４２０を中心として２方向に見開かれるとともに、紙片部４１１と紙片部４１３とがミシン目４３１ｂによる折り畳み方向に見開かれることになる。また、紙片部４１２が見開かれる形状がミシン目４３３の形成領域によるものとなり、それにより、紙片部４１２が見開かれる形状のデザイン性を向上させることができる。  なお、上述した第２及び第４の実施の形態においては、紙片部２１１，４１１と紙片部２１２，４１２とを連接するミシン目２３１，４３１ａに沿うように紙片部２１１，４１１にミシン目２３３，４３３が形成されているが、ミシン目２３３，４３３は、強接着部２２０，４２０に繋がるように紙片部２１１，４１１に形成されていれば、ミシン目２３１，４３１ａに対して斜めの方向に延びたり、曲線状であったり、その始点及び終点が強接着部２２０に繋がるようにコの字型であったりしてもよい。
【００５７】
また、上述した４つの実施の形態においては、紙片部１１１，１１２，２１１，２１２，３１１，３１２，４１１，４１２のミシン目１３１，２３１，３３１ａ，４３１ａに沿う方向について中央部分に強接着部１２０，２２０，３２０，４２０が形成されているが、強接着部１２０，２２０，３２０，４２０は、紙片部１１１，２１１，３１１，４１１と紙片部１１２，２１２，３１２，４１２とが剥離可能層１２１，２２１，３２１ａ，４２１ａによって剥離可能に貼着される領域を２分割するように形成されていればよい。
【００５８】
また、上述した４つの実施の形態において、紙片部の長辺どうしがミシン目を介して折り畳み可能に連接した構成を例に挙げて説明したが、紙片部の短辺どうしがミシン目を介して折り畳み可能に連接した構成をであってもよい。
【００５９】
また、上述した４つの実施の形態においては、粘着剤１２２，２２２，３２２，４２２によって強接着部１２０，２２０，３２０，４２０が形成されているが、強接着部１２０，２２０，３２０，４２０は、貼着後の剥離が可能な材料の塗布厚を厚くしたりする等、他の構成によって形成することも考えられる。
【符号の説明】
【００６０】
１０１，２０１，３０１，４０１    折り畳みシート
１１１，１１２，２１１，２１２，３１１〜３１３，４１１〜４１３    紙片部
１２０，２２０，３２０，４２０    強接着部
１２１，２２１，３２１ａ，３２１ｂ，４２１ａ，４２１ｂ    剥離可能層
１２２，２２２，３２２，４２２    粘着剤
１３１，２３１，２３３，３３１ａ，３３１ｂ，４３１ａ，４３１ｂ，４３３    ミシン目
１３２ａ，１３２ｂ，２３２ａ，２３２ｂ，４３２ａ，４３２ｂ    切り欠き
【図１】
2010162834.tif 000003
【図２】
2010162834.tif 000004
【図３】
2010162834.tif 000005
【図４】
2010162834.tif 000006
【図５】
2010162834.tif 000007
【図６】
2010162834.tif 000008
【図７】
2010162834.tif 000009
【図８】
2010162834.tif 000010